(57)【特許請求の範囲】
【請求項１】
テレビカメラ本体又はカメラ用レンズと着脱自在に接続され、カメラ用レンズのズーム、フォーカス、アイリス、及びマクロのうち少なくとも１つを操作するための操作ノブを有するレンズ操作装置において、
カメラ用レンズの動作を指令する前記操作ノブの操作量に応じた操作信号として、アナログ方式の操作信号を前記カメラ用レンズ側に出力する第１の操作信号出力手段と、デジタル方式の操作信号を前記カメラ用レンズ側に出力する第２の操作信号出力手段と、を有し、
アナログ方式及びデジタル方式の双方の方式による操作信号を同時に前記カメラ用レンズ側に出力できるように構成されていることを特徴とするテレビカメラのレンズ操作装置。
【請求項２】
前記操作ノブの操作量を検出するために、さらに、前記操作ノブの回転量を検出するロータリーエンコーダと、前記ロータリーエンコーダが出力するパルスをカウントするカウンタを有することを特徴とする請求項１に記載のテレビカメラのレンズ操作装置。
【請求項３】
テレビカメラ本体又はカメラ用レンズと着脱自在に接続され、カメラ用レンズのズーム、フォーカス、アイリス、及びマクロのうち少なくとも１つを操作するための操作ノブを有するレンズ操作装置において、
カメラ用レンズの動作を指令する前記操作ノブの操作量に応じた操作信号として、アナログ方式の操作信号を前記カメラ用レンズ側に出力する第１の操作信号出力手段と、デジタル方式の操作信号を前記カメラ用レンズ側に出力する第２の操作信号出力手段と、の双方の方式による操作信号出力手段を有すると共に、
カメラ用レンズから発せられる切替信号を検出する検出手段と、
前記検出手段で検出した切替信号に基づいて、操作信号の形態をアナログ方式又はデジタル方式の何れかの方式に選択する選択制御手段と、
を備えたことを特徴とするテレビカメラのレンズ操作装置。
【請求項４】
請求項３記載のテレビカメラのレンズ操作装置において、前記切替信号を送受する為の専用の信号ラインを設けることなく、カメラ用レンズから送出されるアンサー信号を受けるための信号ラインに、本来のアンサー信号ではあり得ない周波数の切替信号を重畳させるようにしたことを特徴とするテレビカメラのレンズ操作装置。
【請求項５】
請求項３記載のテレビカメラのレンズ操作装置によって操作されるカメラ用レンズであって、レンズ操作装置に対してアンサー信号を送信するための信号ラインに、本来のアンサー信号ではあり得ない周波数の切替信号を重畳させて出力する切替信号発信手段を備えたことを特徴とするカメラ用レンズ。
【請求項６】
前記操作ノブの操作量を検出するために、さらに、前記操作ノブの回転量を検出するロータリーエンコーダと、前記ロータリーエンコーダが出力するパルスをカウントするカウンタを有することを特徴とする請求項３に記載のテレビカメラのレンズ操作装置。
【請求項７】
前記レンズ操作装置の中央処理装置は、前記カメラ用レンズに前記レンズ操作装置を接続した際、前記カメラ用レンズから受信した電圧信号のレベルに応じて、操作信号の形態をアナログ方式又はデジタル方式の何れかの方式に選択するようにしたことを特徴とする請求項３に記載のテレビカメラのレンズ操作装置。
【請求項８】
前記レンズ操作装置の中央処理装置は、前記カウンタを定期的に監視し、前記カウンタの値が所定の規定値に達しているかどうかを判断して、操作信号の形態をアナログ方式又はデジタル方式の何れかの方式に選択するようにしたことを特徴とする請求項６に記載のテレビカメラのレンズ操作装置。
【請求項９】
前記カメラ用レンズと前記レンズ操作装置との間がシリアル通信ラインで接続されていることを特徴とする請求項１又は３記載のテレビカメラのレンズ操作装置。
【請求項１０】
電源投入時においてアナログ方式に設定されており、カメラ用レンズからの受信信号に応じてデジタル方式に切り替えるようにしたことを特徴とする請求項３記載のテレビカメラのレンズ操作装置。
【発明の詳細な説明】
【０００１】
【発明の属する技術分野】
本発明はテレビカメラのレンズ操作装置に係り、特に、放送用テレビカメラに使用するレンズ装置のフォーカスやズーム等を電動で操作する操作装置に関する。
【０００２】
【従来の技術】
放送用テレビカメラのシステムにおいては、テレビカメラ用レンズとカメラマンがズームやフォーカスを操作する操作部の間は多芯のケーブルで接続されており、操作部からのアナログ信号電圧でズームやフォーカスを制御するのが一般的である（特開平７−２７４０５３号公報、特開平９−３０４６８０号公報参照）。近時、この操作部には、ズーム、フォーカスの操作機能以外に、エクステンダーや各種ＯＮ／ＯＦＦスイッチ等の多くの操作機能が追加されてきており、現状のケーブル、コネクタの芯数（１０〜３０程度）では、更なる多機能化に限界がきている。
【０００３】
【発明が解決しようとする課題】
かかる従来のシステムが抱える課題の解決策として、レンズ−操作部間の接続にシリアル通信を用い、各種信号を少ない芯数のケーブルで送信することが考えられる。しかしながら、レンズと操作部は、コネクタを介して取り外しが可能なため、常に同じ組合せで使用されるものとは限らず、デジタル方式に対応していないレンズは、デジタル方式の操作部が使えないということになって、緊急時に器材のやり繰りをする場合などは、互換性の無いことがトラブルの原因となる。
【０００４】
本発明はこのような事情に鑑みてなされたもので、アナログ／デジタルの双方の操作方式を具備し、レンズ側の制御方式に合わせて操作信号の形態を切り替え、又は、双方の操作信号を同時に出力することができるテレビカメラのレンズ操作装置を提供することを目的とする。
【０００５】
【課題を解決するための手段】
請求項１に記載の発明は前記目的を達成するために、テレビカメラ本体又はカメラ用レンズと着脱自在に接続され、カメラ用レンズのズーム、フォーカス、アイリス、及びマクロのうち少なくとも１つを操作するための操作ノブを有するレンズ操作装置において、カメラ用レンズの動作を指令する前記操作ノブの操作量に応じた操作信号として、アナログ方式の操作信号を前記カメラ用レンズ側に出力する第１の操作信号出力手段と、デジタル方式の操作信号を前記カメラ用レンズ側に出力する第２の操作信号出力手段と、を有し、アナログ方式及びデジタル方式の双方の方式による操作信号を同時に前記カメラ用レンズ側に出力できるように構成されていることを特徴としている。
【０００６】
本発明のレンズ操作装置は、アナログ／デジタルの双方の操作方式を兼備しており、この操作装置側からレンズに対してアナログ／デジタル双方の方式の操作ノブの操作量に応じた操作信号を同時出力する。そして、これら操作信号を受信するレンズ側において、利用する一方の操作信号を選択することになる。これにより、一つの操作装置でアナログ方式、デジタル方式の双方の方式のレンズを操作することができ、レンズと操作装置の組み合わせの自由度が高まり、緊急時の器材のやり繰りも容易である。
また、請求項２に記載の如く、本発明のレンズ操作装置は、前記操作ノブの操作量を検出するために、さらに、前記操作ノブの回転量を検出するロータリーエンコーダと、前記ロータリーエンコーダが出力するパルスをカウントするカウンタを有することを特徴としている。
【０００７】
また、前記目的を達成するために、請求項３記載の発明に係るテレビカメラのレンズ操作装置は、テレビカメラ本体又はカメラ用レンズと着脱自在に接続され、カメラ用レンズのズーム、フォーカス、アイリス、及びマクロのうち少なくとも１つを操作するための操作ノブを有するレンズ操作装置において、カメラ用レンズの動作を指令する前記操作ノブの操作量に応じた操作信号として、アナログ方式の操作信号を前記カメラ用レンズ側に出力する第１の操作信号出力手段と、デジタル方式の操作信号を前記カメラ用レンズ側に出力する第２の操作信号出力手段と、の双方の方式による操作信号出力手段を有すると共に、カメラ用レンズから発せられる切替信号を検出する検出手段と、前記検出手段で検出した切替信号に基づいて、操作信号の形態をアナログ方式又はデジタル方式の何れかの方式に選択する選択制御手段と、を備えたことを特徴としている。
【０００８】
本発明に係るレンズ操作装置は、アナログ／デジタルの双方の操作方式を兼備しており、レンズ側から発行される切替信号を検出手段で検出して、レンズに合わせて操作信号の形態をアナログ方式又はデジタル方式の何れかの方式に切り替えることができる。これにより、一つの操作装置でアナログ方式、デジタル方式の双方の方式のレンズを操作することができる。
【０００９】
ところで、上述のようにレンズからの切替信号を検出する機能によって操作信号の形態（方式）を選択する場合、切替信号を伝送するための信号ラインが必要であるが、一般にレンズと操作装置の間をつなぐ多芯のケーブルは、余分なラインが空いていないのが普通であり、切替信号用のラインを専用に設けることができないことが多い。
【００１０】
そこで、請求項４に記載の如く、前記切替信号を送受する為の専用の信号ラインを設けることなく、カメラ用レンズから送出されるアンサー信号を受けるための信号ラインに、本来のアンサー信号ではあり得ない周波数の切替信号を重畳させることが効果的である。このように、通常のアンサー信号ではあり得ない規定外の周波数の信号を切替信号として用い、これをアンサー信号のラインに重畳させれば、切替信号を通常のアンサー信号から分離して検出することができる。
【００１１】
この場合、請求項５に記載したように、レンズ操作装置に対してアンサー信号を送信するための信号ラインに、本来のアンサー信号ではあり得ない周波数の切替信号を重畳させて出力する切替信号発信手段をカメラ用レンズに設ける。また、前記操作ノブの操作量を検出するために、さらに、前記操作ノブの回転量を検出するロータリーエンコーダと、前記ロータリーエンコーダが出力するパルスをカウントするカウンタを有することが好ましい。また、前記レンズ操作装置の中央処理装置は、前記カメラ用レンズに前記レンズ操作装置を接続した際、前記カメラ用レンズから受信した電圧信号のレベルに応じて、操作信号の形態をアナログ方式又はデジタル方式の何れかの方式に選択するようにしたことが好ましい。また、前記レンズ操作装置の中央処理装置は、前記カウンタを定期的に監視し、前記カウンタの値が所定の規定値に達しているかどうかを判断して、操作信号の形態をアナログ方式又はデジタル方式の何れかの方式に選択するようにしたことが好ましい。また、前記カメラ用レンズと前記レンズ操作装置との間がシリアル通信ラインで接続されていることが好ましい。さらに、電源投入時においてアナログ方式に設定されており、カメラ用レンズからの受信信号に応じてデジタル方式に切り替えるようにしたことが好ましい。
【００１２】
【発明の実施の形態】
以下添付図面に従って本発明に係るテレビカメラのレンズ操作装置の好ましい実施の形態について詳説する。
図１は、本発明の実施の形態に係るテレビカメラのレンズ操作装置の構成を示すブロック図である。レンズ操作装置１０は、操作ノブ１２、該操作ノブ１２の操作量を検出するロータリーエンコーダ１４、カウンタ１５、中央処理装置（ＣＰＵ）１６、通信用ＩＣ１８、Ｄ／Ａ変換器２０、Ａ／Ｄ変換器２２等から成り、図示せぬケーブル及びコネクタを介してテレビレンズ（カメラ用レンズ）２４又はテレビカメラ本体（不図示）と着脱自在である。なお、操作ノブ１２の操作量を検出する手段として上述のロータリーエンコーダ１４とカウンタ１５の構成に代えて、ポテンショメータとＡ／Ｄ変換器とを用いてもよい。
【００１３】
このレンズ操作装置１０は、レンズのズーム、フォーカス、アイリス、及びマクロ等を操作する装置であって、これら動作を指令する操作信号の形態として、アナログ操作信号を出力する機能と、シリアル通信によって制御信号（デジタル操作信号）を出力する機能とを兼備している。本例では主としてフォーカス操作用の操作ノブ１２について説明するが、ズーム、アイリス、マクロ等、他の操作系も略同様である。
【００１４】
操作ノブ１２の回転量はロータリーエンコーダ１４によって検出され、ロータリーエンコーダ１４が出力するエンコードパルスをカウンタ１５で計数してその計数結果をＣＰＵ１６に通知している。ＣＰＵ１６はこの計数結果に基づいて操作ノブ１２の操作量を把握し、操作量に応じた信号（操作信号）をＤ／Ａ変換器２０及び通信用ＩＣ１８に出力する。
【００１５】
また、ＣＰＵ１６は、テレビレンズ２４から入力される切替信号に応じて、切替スイッチ手段２６、２８の可動接片２６Ａ、２８Ａの接続接点を切り替えて、アナログモード、又はデジタルモードを選択するようになっている。
例えば、デジタルモードへの設定を指示する場合にはテレビレンズ２４からハイ（Ｈ）レベルの電圧信号を出力し、アナログモードへの設定を指示する場合にはロウ（Ｌ）レベルの信号を出力することとする。そして、テレビレンズ２４にレンズ操作装置１０を接続した際に、ＣＰＵ１６がこの切替信号を受信してレンズからのモード選択指令を判断する。
【００１６】
ＣＰＵ１６が、テレビレンズ２４からアナログ方式への切り替えを指令する切替信号を受信すると、ＣＰＵ１６は切替スイッチ手段２６、２８の各可動接片２６Ａ、２８Ａの接続接点をそれぞれＤ／Ａ変換器２０側の接点２６Ｂ、Ａ／Ｄ変換器２２側の接点２８Ｂに接続させてアナログモードに設定する。アナログモードでは、操作ノブ１２の操作量に応じた操作信号（レンズ制御信号）がアナログ電圧信号の形態でテレビレンズ２４側に送出される。そして、テレビレンズ２４からは、レンズのフォーカスポジション等を示す位置信号などのアンサー信号がアナログ電圧信号の形態でレンズ操作装置１０側に返される。
【００１７】
他方、ＣＰＵ１６が、テレビレンズ２４からデジタル方式への切り替えを指令する切替信号を受信すると、ＣＰＵ１６は切替スイッチ手段２６、２８の各可動接片２６Ａ、２８Ａの接続接点を共に通信用ＩＣ１８側の接点２６Ｃ、２８Ｃに接続させてデジタルモードに設定する。このモードでは、操作ノブ１２の操作量に応じた操作信号（レンズ制御信号）がＲＳ２３２Ｃ等の所定のシリアル通信機能によってデジタル信号の形態でテレビレンズ２４側に送出される。そして、テレビレンズ２４からは、レンズのフォーカスポジション等を示す位置信号などのアンサー信号がシリアル通信によるデジタル信号の形態でレンズ操作装置１０側に返されることになる。
【００１８】
次に、上記の如く構成されたレンズ操作装置の作用について説明する。
図２には、図１に示したレンズ操作装置におけるアナログ／デジタルモード選択の手順が示されている。レンズ操作装置１０がテレビレンズ２４に直接接続され、又は、レンズ操作装置１０が図示せぬテレビカメラに取り付けられることにより、テレビレンズ２４とレンズ操作装置１０とが電気的に接続されると、レンズ操作装置１０のＣＰＵ１６は、先ず、レンズ側から通知される切替信号を監視する（ステップＳ１１０）。そして、レンズ側からアナログモードへの設定を指示する切替信号を受信した場合には、切替スイッチ手段２６、２８の可動接片２６Ａ、２８ＡをＤ／Ａ変換器側の接点２６Ｂ、Ａ／Ｄ変換器側の接点２８Ｂにそれぞれ接続し、制御信号ライン及び位置信号ラインをともにアナログラインに設定する（ステップＳ１１２）。以後、操作ノブ１２の操作によるレンズ制御はアナログ信号に基づいて処理される（ステップＳ１１６）。
【００１９】
他方、ステップＳ１１０において、レンズ側からデジタルモードへの設定を指示する切替信号を受信した場合には、ＣＰＵ１６は、切替スイッチ手段２６、２８の可動接片２６Ａ、２８Ａを通信用ＩＣ１８側の接点２６Ｃ、２８Ｃに切り替えて、制御信号ライン及び位置信号ラインをデジタルライン（ステップＳ１１４）に設定する。以後、シリアル通信機能によってレンズ制御処理が行われる（ステップＳ１１６）。
【００２０】
そして、ステップＳ１１６の後、処理はステップＳ１１０に戻り、上述の処理ステップＳ１１０〜Ｓ１１６が繰り返される。
本実施の形態によれば、一つのレンズ操作装置１０でアナログ方式及びデジタル方式の双方の方式のテレビレンズ２４を操作することができる。
次に、本発明の第２の実施の形態について説明する。
【００２１】
図３には本発明の第２の実施の形態に係るレンズ操作装置及び該レンズ操作装置が接続されるテレビレンズの構成が示されている。図３中図１と共通の部分には同一の符合を付し、その説明は省略する。
図３に示したテレビレンズ３０は、アナログ／デジタル両方の操作信号に対応可能な両モードレンズであり、かかる両モードレンズにデジタル方式／アナログ方式の双方の方式に対応可能なレンズ操作装置３２を接続した例が図示されている。
【００２２】
テレビレンズ３０は、主としてレンズ部３４、レンズ駆動用のモータ３６、該モータ３６を駆動する為のアンプ３７、Ｄ／Ａ変換器３８、前記モータ３６の回転量を検出するロータリーエンコーダ４０、カウンタ４１、通信用ＩＣ４２、レベル変換回路４４、４６、Ａ／Ｄ変換器４８、Ｄ／Ａ変換器５０、及び各回路を統括的に制御する中央処理装置（ＣＰＵ）５２等から構成される。なお、レンズ部３４は図では簡略化して示してあるが、複数枚のレンズから成るズームレンズである。
【００２３】
レンズ操作装置３２は、入力部の切替スイッチ手段２８の接点２８Ｃに、Ａ／Ｄ変換器２２と並行にレベル変換回路５６が接続され、レベル変換回路５６の後段にカウンタ５７が設けられている。
テレビレンズ３０は、電源投入時（初期状態）においてアナログモードに設定されており、入力部及び出力部の切替スイッチ手段６０、６２の可動接片６０Ａ、６２Ａはそれぞれ、レベル変換回路４４、４６側の接点６０Ｂ、６２Ｂに接続されている。
【００２４】
他方、レンズ操作装置３２側も、電源投入時においてアナログモードに設定されており、切替スイッチ手段２６、２８の可動接片２６Ａ、２８Ａは、接点２６Ｂ、２８Ｂに接続されている。かかるアナログモードでは、位置信号等を返すアンサー信号のラインは、２．５Ｖ〜７．５Ｖのアナログ電圧信号が伝送されるように規定されている。
【００２５】
テレビレンズ３０がシリアル通信機能を有している場合、初期状態でアナログモードに設定されているレンズ操作装置３２をシリアル通信モード（デジタルモード）に切り替える必要がある。そこで、テレビレンズ３０からレンズ操作装置３２に対してモードの切替信号を発信する。
即ち、テレビレンズ３０のＣＰＵ５２からＤ／Ａ変換器５０に対して数百Ｈｚのパルス信号を出力し、Ｄ／Ａ変換器５０で前記パルス信号をアナログ信号に変換するとともに、Ｄ／Ａ変換器５０の出力をレベル変換回路４６に入力して、パルス信号を２．５Ｖ〜７．５Ｖにレベル変換する。こうして、振幅が２．５Ｖ〜７．５Ｖで、数百Ｈｚの矩形パルス信号を生成し、これをアンサー信号ラインに重畳させてレンズ操作装置３２側へ送出する。
【００２６】
レンズ操作装置３２は、入力部の切替スイッチ手段２８を介して前記パルス信号（切替信号）をレベル変換回路５６へと導き、レベル変換回路５６を介してカウンタ５７をカウントアップさせる。レンズ操作装置３２のＣＰＵ１６は、このカウンタ５７を定期的に監視し、カウンタ５７の値が規定値に達していれば、テレビレンズ３０からデジタルモードに切り替えるように指示されたと判断する。
【００２７】
デジタルモードへの変更を指示する切替信号を検出したＣＰＵ１６は、各切替スイッチ手段２６、２８の可動接片２６Ａ、２８Ａをそれぞれ通信用ＩＣ１８側の接点２６Ｃ、２８Ｃに接続させる。こうして、レンズ操作装置３２がデジタルモードに設定される。この後、テレビレンズ３０側も、ＣＰＵ５２によって切替スイッチ手段６０、６２の可動接片６０Ａ、６２Ａを共に通信用ＩＣ４２側の接点６０Ｃ、６２Ｃに接続させ、デジタルモードに切り替える。
【００２８】
操作ノブ１２を回転操作すると、その回転量がロータリーエンコーダ１４で検出され、このロータリーエンコーダ１４から出力されるエンコードパルスがカウンタ１５で計数される。カウンタ１５による計数結果はＣＰＵ１６に通知され、ＣＰＵ１６は操作ノブ１２の回転量に応じた指令信号をＤ／Ａ変換器２０及び通信用ＩＣ１８に出力する。
【００２９】
デジタルモード下では、通信用ＩＣ１８から出力された指令信号は、制御信号ラインを介してテレビレンズ３０側に送られ、通信用ＩＣ４２に入力される。そして、この通信用ＩＣ４２を介して前記指令信号がＣＰＵ５２に入力される。他方、アナログモードの場合には、レンズ操作装置３２のＤ／Ａ変換器２０でアナログ電圧信号に変換された指令信号（アナログ制御信号）は、制御信号ラインを介してテレビレンズ３０に伝送され、レベル変換回路４４に入力される。そして、このアナログ制御信号は、レベル変換回路４４でレベル変換された後、Ａ／Ｄ変換器４８に加えられ、Ａ／Ｄ変換器４８でデジタル信号に変換された後、ＣＰＵ５２に加えられる。
【００３０】
ＣＰＵ５２は、レンズ操作装置３２から入力する指令信号に対応したモータ制御信号をＤ／Ａ変換器３８に出力する。Ｄ／Ａ変換器３８でアナログ信号に変換されたモータ制御信号は、アンプ３７によって増幅されてモータ３６に印加される。モータ３６は、アンプ３７から加えられる信号（駆動信号）に従って駆動され、その回転駆動力が図示せぬ伝動機構を介してレンズ部３４に伝達されることでレンズ部３４が移動する。
【００３１】
前記モータ３６の回転量はロータリーエンコーダ４０によって検出されており、このロータリーレンコーダ４０が出力するエンコードパルスをカウンタ４１で計数している。カウンタ４１による計数結果はＣＰＵ５２に通知され、ＣＰＵ５２はこの計数結果に基づいてレンズ部３４の移動量及び位置を把握する。ＣＰＵ５２は、レンズ部３４の位置を示す位置信号をＤ／Ａ変換器５０、及び通信用ＩＣ１８に出力しており、Ｄ／Ａ変換器５０でアナログ信号に変換された位置信号（アナログ位置信号）は、レベル変換回路でレベル変換されたた後、レンズ操作装置３２側に通知される。
【００３２】
図４には、上記の如く構成されたレンズ操作装置のモード選択処理の手順が示されている。
電源投入時、レンズ操作装置３２は初期設定モードに入り（ステップＳ１２０）、一律にアナログモードに設定される（ステップＳ１２２）。また、レンズ側も、アナログ／デジタル両モードを有するテレビレンズ３０の場合には、初期状態においてアナログモードに設定される。そして、アナログ方式による信号処理が可能な状態にセットされる（ステップＳ１２４）。
【００３３】
次いで、レンズ操作装置３２のカウンタ５７を確認する時間であるか否かを判別し（ステップＳ１２６）、カウンタ５７をチェックすべき時間でなければ、処理はステップＳ１２４に戻り、カウンタ５７をチェックすべき時間であれば、ＣＰＵ１６はカウンタ５７のカウント値を読み込み、カウンタが規定値に達しているか否かを判別する（ステップＳ１２８）。
【００３４】
アナログ処理の工程（ステップＳ１２４）において、テレビカメラ３０からアナログ信号ラインを介して切替信号（数百Ｈｚのパルス信号）が出力された場合には、レンズ操作装置３２のカウンタ５７がカウントアップされる。他方、テレビレンズがデジタル通信機能を有していない場合には、上述のようなデジタルモードへの切替信号が送出されないか、又は、デジタルモードへの切替信号と異なる周波数の切替信号が出力されることになる。従って、カウンタ５７の値に基づいて、レンズ側からデジタルモードへの切り替えが指示されたか否かを検出することができる。
【００３５】
ステップＳ１２８において、カウンタ５７が規定値に達していない場合には、アナログモードの設定を維持して（ステップＳ１３０）、処理はステップＳ１２４に戻る。この場合、アナログ方式によるレンズ制御が行われる。
他方、ステップＳ１２８において、カウンタ５７が規定値に達している場合には、デジタルモードへの切り替えが指示されたと判断して、アナログモードからデジタルモードに設定を切り替える（ステップＳ１３２）。その後、テレビレンズ３０側もデジタルモードに切り替えて、シリアル通信を用いたレンズ制御を可能にする（ステップＳ１３４）。
【００３６】
このように、テレビレンズ３０からレンズ操作装置３２に送る切替信号を、アンサー信号ではあり得ない周波数、振幅の信号で規定し、アナログのアンサー信号に重畳させたことにより、レンズ操作装置３２とテレビレンズ３０との間に専用の信号ラインを確保できない場合であっても、既存のアナログ信号ラインを活用してレンズ操作装置３２のモード切替信号を送ることができる。
【００３７】
上記各実施の形態では、アナログ／デジタル両方式の操作信号を出力する機能を有したレンズ操作装置において、テレビレンズ側からの切替信号を受信してアナログ方式又はデジタル方式の何れかの方式に設定する場合を説明したが、アナログ／デジタル両方式の操作信号を出力する機能を有したレンズ操作装置において、両方式の操作信号を同時に出力するように構成してもよい。
【００３８】
【発明の効果】
以上説明したように本発明に係るテレビカメラのレンズ操作装置によれば、アナログ操作信号とデジタル通信による操作信号の双方の方式を有し、双方の信号を同時に出力できる構成とし、又は、レンズ側からの切替信号を検出することで何れかの方式を選択して操作できるようにしたので、一つのレンズ操作装置で、デジタル方式、アナログ方式の何れの方式のレンズも操作できる。従って、緊急時の器材のやり繰りも容易である。
【００３９】
特に、アナログ信号ラインを利用して、本来のアナログ信号ではあり得ない周波数の切替信号をアナログのアンサー信号に重畳させて送信するようにしたので、専用の切替信号ラインを設ける必要がなく、余分なラインを確保できない場合にも切替信号を送ることができる。
【図面の簡単な説明】
【図１】本発明の実施の形態に係るテレビカメラのレンズ操作装置の構成を示すブロック図
【図２】図１に示したレンズ操作装置におけるアナログ／デジタル選択処理の手順を示すフローチャート
【図３】本発明の第２の実施の形態に係るテレビカメラのレンズ操作装置の構成を示すブロック図
【図４】図３に示したレンズ操作装置におけるアナログ／デジタル選択処理の手順を示すフローチャート
【符号の説明】
１０、３２…レンズ操作装置
１２…操作ノブ
１４、４０…ロータリーエンコーダ
１５、４１、５７…カウンタ
１６、５２…中央処理装置（ＣＰＵ）
１８、４２…通信用ＩＣ
２０、３８、５０…Ｄ／Ａ変換器
２２、４８…Ａ／Ｄ変換器
４４、４６、５６…レベル変換回路
２６、２８、６０、６２…切替スイッチ手段
３４…レンズ部
３６…モータ
【図１】
0004214325.tif 000002
【図２】
0004214325.tif 000003
【図３】
0004214325.tif 000004
【図４】
0004214325.tif 000005